(57)【要約】【課題】  コントロールチップとメモリダイを新たにレイアウトし並びに複数のメモリダイを設置したミニＳＤメモリカード又はＲＳ−ＭＭＣメモリカードの構造の提供。【解決手段】  ケースと保存ユニットを具え、該ケースが保存ユニットを内部にパッケージし、該保存ユニットに基板が設けられ、該基板にコントロールチップと複数のメモリダイが設置され、該コントロールチップは基板の挿入端のある一端に取り付けられ、これらメモリダイは該基板の該コントロールチップの下方に取り付けられ並びに挿入端と反対の一端に接近する。【選択図】        図２
0003110646.tif 000002
【実用新案登録請求の範囲】
【請求項１】
ケースと保存ユニットを具え、該保存ユニットは該ケース中にパッケージされ、該保存ユニットに基板が設けられ、該基板上に複数のメモリダイとコントロールチップが取り付けられたミニセキュアデジタルメモリカード又はアールエスエムエムシーメモリカードの構造において、
該コントロールチップが該基板の挿入端の一端に取り付けられ、該メモリダイが該基板の該コントロールチップの下方に取り付けられ並びに挿入端と反対の一端に接近することを特徴とする、ミニセキュアデジタルメモリカード又はアールエスエムエムシーメモリカードの構造。
【請求項２】
請求項１記載のミニセキュアデジタルメモリカード又はアールエスエムエムシーメモリカードの構造において、コントロールチップの面積サイズが一辺７ｍｍとされたことを特徴とする、ミニセキュアデジタルメモリカード又はアールエスエムエムシーメモリカードの構造。
【請求項３】
請求項１記載のミニセキュアデジタルメモリカード又はアールエスエムエムシーメモリカードの構造において、保存ユニットに二つのメモリダイが設置されたことを特徴とする、ミニセキュアデジタルメモリカード又はアールエスエムエムシーメモリカードの構造。
【請求項４】
請求項３記載のミニセキュアデジタルメモリカード又はアールエスエムエムシーメモリカードの構造において、二つのメモリダイがコントロールチップの下方に左右方式で配列されたことを特徴とする、ミニセキュアデジタルメモリカード又はアールエスエムエムシーメモリカードの構造。
【請求項５】
請求項３記載のミニセキュアデジタルメモリカード又はアールエスエムエムシーメモリカードの構造において、二つのメモリダイがコントロールチップの下方に上下方式で配列されたことを特徴とする、ミニセキュアデジタルメモリカード又はアールエスエムエムシーメモリカードの構造。
【考案の詳細な説明】
【技術分野】
【０００１】
本考案は一種のメモリカードに係り、特に、コントロールチップとメモリダイを新たにレイアウトし並びに複数のメモリダイを設置したミニセキュアデジタル（ミニＳＤ）メモリカード又はアールエスエムエムシー（ＲＳ−ＭＭＣ）メモリカードの構造に関する。
【背景技術】
【０００２】
デジタルテクノロジーの進歩により多くの情報製品、特にカメラ、ビデオカメラ、携帯型プレイヤーは、その保存設備の多くを徐々にフラッシュメモリカードに換えている。メモリカード製品の進展は、そのメモリ容量の増加のほか、最も重要であるのはメモリカードの相容性と占有体積の改良である。
周知のメモリカード中、ＳＤ（Ｓｅｃｕｒｅ  Ｄｉｇｉｔａｌ）カードとＭＭＣ（Ｍｕｌｔｉ  Ｍｅｄｉａ  ｃａｒｄ）カードの両者は規格上、厚さに区別があるほか（それぞれ２．１ｍｍと１．４ｍｍ）、いずれもその長さと幅が３２ｍｍと２４ｍｍであり、全体構造上、極めて相似である。このため大部分のＳＤインタフェースの設備にあって、いずれもＭＭＣカードを使用できる。しかし情報設備のミニ化に伴い、マルチメディア携帯電話の機能拡張に合わせて、メモリカードの体積サイズもまたミニ化される傾向にある。そのうち、ミニＳＤ（Ｍｉｎｉ  ＳＤ）カードは即ちＳＤカードの縮小版であり、その長さ、幅、厚さはそれぞれ２１．５ｍｍ、２０ｍｍ、１．４ｍｍであり、もとの標準ＳＤカードの体積を６０％縮小し、また焼く４０％の回路板面積を節約している。ＲＳ−ＭＭＣ（Ｒｅｄｕｃｅｄ  ｓｉｚｅ  ＭＭＣ）カードはＭＭＣカードの縮小版であり、その長さ、幅、厚さはそれぞれ２４ｍｍ、１８ｍｍ、１．４ｍｍであり、その体積は、標準ＭＭＣカードの体積の５０％である。ミニＳＤカードとＲＳ−ＭＭＣカードはいずれも対応するアダプタカードを具え、ゆえに標準規格インタフェースの設備にも使用可能で、更にその体積が小さく軽量な長所を有するため、将来の市場で極めて大きなビジネスチャンスを有すると思われる。
【０００３】
現在のミニＳＤカードの構造は図１に示されるようであり、それはケース１０と保存ユニット２０を具えている。ケース１０と保存ユニット２０は挿入端１０１、２０１の方向に相互に重畳されパッケージされている。保存ユニット２０は基板２１、コントロールチップ２２とメモリダイ２３を具えている。該メモリダイ２３は縦方向に長方形に設置され、それは基板２１にハンダ付けされた後、ほぼ挿入端２０１から基板２１の別端までの基板面積を占拠し、コントロールチップ２２はメモリダイ２３の左側にハンダ付けされている。チップパッケージ技術の制限により、コントロールチップ２２は比較的大きな間隔を以てメモリダイ２３の傍らに設置され、また、基板２２の幅の制限により、コントロールチップ２２はまた面積サイズが１辺５ｍｍのチップしか使用できず、このようなサイズのチップは一般に使用されているコントロールチップのサイズではないため、別に製造する必要があり、このためメモリ製造のコストが大幅に増加した。このほか、周知のメモリカードには単一のメモリダイしか設置されず、このためメモリダイに毀損がある時、全体が使用不能となる。また、メモリダイの保存容量は製造の技術に伴い向上するが、未だ更に高容量の製品が出現しない情況では、単一の保存容量のメモリダイを設置するだけでは、メモリカード容量を拡張できない制限が形成される。
【考案の開示】
【考案が解決しようとする課題】
【０００４】
メモリカード基板上のチップのレイアウトを更に効率的とすると共に製造コストを減らし、並びにメモリカード容量をアップするため、本考案は周知のコントロールチップとメモリダイのレイアウト方式を改変し、基板上で得られる利用面積を増し、適当な面積サイズで且つ周知のコントロールチップを使用できるようにし、製造コストを減らし、また複数のメモリダイの設置により保存容量をアップしたミニＳＤカードとＲＳ−ＭＭＣカードを提供する。
【課題を解決するための手段】
【０００５】
請求項１の考案は、ケースと保存ユニットを具え、該保存ユニットは該ケース中にパッケージされ、該保存ユニットに基板が設けられ、該基板上に複数のメモリダイとコントロールチップが取り付けられたミニセキュアデジタルメモリカード又はアールエスエムエムシーメモリカードの構造において、
該コントロールチップが該基板の挿入端の一端に取り付けられ、該メモリダイが該基板の該コントロールチップの下方に取り付けられ並びに挿入端と反対の一端に接近することを特徴とする、ミニセキュアデジタルメモリカード又はアールエスエムエムシーメモリカードの構造としている。
請求項２の考案は、請求項１記載のミニセキュアデジタルメモリカード又はアールエスエムエムシーメモリカードの構造において、コントロールチップの面積サイズが一辺７ｍｍとされたことを特徴とする、ミニセキュアデジタルメモリカード又はアールエスエムエムシーメモリカードの構造としている。
請求項３の考案は、請求項１記載のミニセキュアデジタルメモリカード又はアールエスエムエムシーメモリカードの構造において、保存ユニットに二つのメモリダイが設置されたことを特徴とする、ミニセキュアデジタルメモリカード又はアールエスエムエムシーメモリカードの構造としている。
請求項４の考案は、請求項３記載のミニセキュアデジタルメモリカード又はアールエスエムエムシーメモリカードの構造において、二つのメモリダイがコントロールチップの下方に左右方式で配列されたことを特徴とする、ミニセキュアデジタルメモリカード又はアールエスエムエムシーメモリカードの構造としている。
請求項５の考案は、請求項３記載のミニセキュアデジタルメモリカード又はアールエスエムエムシーメモリカードの構造において、二つのメモリダイがコントロールチップの下方に上下方式で配列されたことを特徴とする、ミニセキュアデジタルメモリカード又はアールエスエムエムシーメモリカードの構造としている。
【考案の効果】
【０００６】
本考案のミニセキュアデジタルメモリカード又はアールエスエムエムシーメモリカードの構造は、保存ユニットとケースを具え、該保存ユニットに基板が設けられ、該基板にコントロールチップと複数のメモリダイが設置され、該コントロールチップは該基板の挿入端近くに取り付けられ、複数のメモリダイは該基板のコントロールチップの下方に取り付けられ、並びに挿入端と反対の一端に接近する。該ケースは該保存ユニットを内部にパッケージする。該コントロールチップと該メモリダイの新たなレイアウトにより、メモリダイ取り付け後に、基板上の挿入端の一端に比較的大きな空間が保留され、これにより面積サイズが１辺７ｍｍのコントロールチップを取り付け可能となり、有効に基板空間を使用できるようになり、基板の利用効果を増す。このほか、このようなサイズのコントロールチップは一般に周知のメモリカードに使用されているコントロールチップであるため別に生産する必要がなく、大幅に本考案のメモリカードの製造コストを下げることができる。
また、複数のメモリダイの設置により、全体の保存容量をアップでき、またデータを分けて保存でき、単一メモリダイの故障による全部のデータの損失の欠点を減らす。
【考案を実施するための最良の形態】
【０００７】
図２は本考案の実施例のメモリカードの表示図である。本考案の実施例中、メモリカードはケース１０と保存ユニット３０を具え、該保存ユニット３０は基板３１、コントロールチップ３２と二つのメモリダイ３３を具えている。
【０００８】
該ケース１０と基板３１はそれぞれ挿入端１０１と３０１を具え、並びに相互に対応する方向に重畳、パッケージされ、完全なメモリカードが形成される。メモリカード組立後には該挿入端１０１と３０１の方向に情報設備或いは読み取り設備のスロット中に挿入され、データの伝送或いは保存を行なう。
【０００９】
基板３１はプリント回路板とされ、その挿入端３０１と反対の一端に二つのメモリダイ３３が取り付けられ、該メモリダイ３３は長方形を呈し、且つ縦方向に設置されて左右配列を呈する。上述のメモリダイ２３はＷＳＯＰ（Ｖｅｒｙ−Ｖｅｒｙ  Ｔｈｉｎ  Ｓｍａｌｌ  Ｏｕｔｌｉｎｅ  Ｐａｃｋａｇｅ）方式でのパッケージされ、極薄型のメモリダイとされ、その後、基板３１にハンダ付けされる。その取り付け時には基板３１の辺縁に一定のパッケージ間隙が保留されるほか、これらメモリダイ３３が全体の基板３１の下方を占拠する。
【００１０】
一方、コントロールチップ３２はメモリダイ３３のアクセスを制御するチップである。二つのメモリダイ３３が本考案のレイアウト方式で基板３１に取り付けられた後、面積サウズが一辺７ｍｍのコントロールチップ３２を基板３１の挿入端３０１からメモリダイ３３の間に取り付けられ、該コントロールチップ３２と挿入端３０１の間には一定のパッケージ間隙のみ保留される。前述の基板面積の妥当な利用により、本考案のチップレイアウトは最良の効果の状態を達成できる。本考案が使用するコントロールチップ３２は一般のメモリカードに取り付けられる面積サイズが１辺７ｍｍのコントロールチップを使用でき、これにより周知の技術のように特製の１辺５ｍｍのコントロールチップを使用する必要がなく、これにより本考案はチップ取り付け時にコストを節約でき、本考案のメモリカードは良好な競争性を具備する。
図３は本考案の別のメモリカードの実施例を示す。本実施例は前述の二つのメモリダイ３３を横方向に設置して上下に配列している。これらのメモリダイ３３を設置する時、コントロールチップ３２とメモリダイ３３の間、及び二つのメモリダイ３３の間には極めて微小な焼く０．１ｍｍの距離のみ保留され、ほぼコントロールチップ３２下方から挿入端３０１と反対の一端を占有し、挿入端３０１と反対の一端に一定のパッケージ間隙のみ保留する。このとき、コントロールチップ３２の取り付け時にメモリダイ３３と相当に接近し、これにより、コントロールチップ３２がＴＳＯＰ方式でパッケージされる場合、そのピンはハンダ付け不能である恐れがあるので、ＢＧＡ、ＬＧＡ、或いはその他のピンを露出させない方式でパッケージが行なわれる。ＢＧＡ方式でパッケージされる場合は、コントロールチップ底部にあってアレイ方式でバンプがレイアウトされ、更にソルダリングにより接続され、金属導線をピンとする方式の代わりとされる。ＬＧＡ方式でパッケージされる場合は、必ずコントロールチップと基板３１に相互に対応する金属接点が設けられ、張り合わせる方式で接続される。
【００１１】
本考案は複数のメモリダイ３３の設置、例えば二つ、或いは三つ、或いはそれ以上のメモリダイ３３の設置により、もとのメモリカードの保存の空間を増すことができ、またデータアクセス時に分流処理でき、一方で使用者の必要により使用でき、また一方で単一のメモリダイの毀損による全てのデータの損失を防止できる。
【図面の簡単な説明】
【００１２】
【図１】周知の技術の表示図である。
【図２】本考案の実施例の表示図である。
【図３】本考案の別の実施例の表示図である。
【符号の説明】
【００１３】
１０  ケース
１０１  挿入端
２０  保存ユニット
２０１  挿入端
２１  基板
２２  コントロールチップ
２３  メモリダイ
３０  保存ユニット
３０１  挿入端
３１  基板
３２  コントロールチップ
３３  メモリダイ
【図１】
0003110646.tif 000003
【図２】
0003110646.tif 000004
【図３】
0003110646.tif 000005